(57)【特許請求の範囲】
【請求項１】
電池電圧の供給を受けると共に、その電池電圧の変動による位相誤差を含む搬送波を生成する局部発振器と、前記局部発振器に供給される電池電圧を検出する電圧検出器と、前記搬送波の位相誤差に対応した補正位相情報を記憶した補正位相記憶部と、前記電圧検出器が検出した電池電圧に応じて前記補正位相情報を選択的に出力する補正位相出力部と、入力された送信データに応じた位相情報を含むと共に、その位相情報を前記補正位相情報により変更したベースバンド信号を出力するベースバンド変調器と、位相情報が変更されたベースバンド信号に応じて前記搬送波を変調する変調器とを設けたことを特徴とする移動通信端末装置。
【請求項２】
電圧検出器は、局部発振器に供給される電池電圧をほぼ一定の電圧に調整する電圧レギュレータの出力電圧を、変調器の出力した送信信号を増幅する増幅器の動作開始に伴って検出することを特徴とする特許請求の範囲第１項に記載の移動通信端末装置。
【請求項３】
補正位相出力部は、電池電圧と、電池の種類を識別するとともに電池種別情報を生成する電池種類識別部より出力された電池種別情報に応じて補正位相情報を選択的に出力することを特徴とする特許請求の範囲第１項に記載の移動通信端末装置。
【請求項４】
補正位相出力部は、電池電圧と、変調器の出力した送信信号を増幅する増幅器の送信出力に応じて補正位相情報を選択的に出力することを特徴とする特許請求の範囲第１項に記載の移動通信端末装置。
【請求項５】
補正位相出力部は、電池電圧と、端末の温度を検出する温度検出器より出力された温度情報に応じて補正位相情報を選択的に出力することを特徴とする特許請求の範囲第１項に記載の移動通信端末装置。
【請求項６】
補正位相出力部は、変調器の出力した送信信号を増幅する増幅器の動作開始に伴い、補正位相情報をベースバンド変調器に出力することを特徴とする特許請求の範囲第１項に記載の移動通信端末装置。
【請求項７】
電池電圧の供給を受けると共に、その電池電圧の変動による位相誤差を含む搬送波を生成する局部発振器と、前記搬送波を変調して送信信号を生成する変調器と、前記送信信号を復調した復調信号から位相誤差を測定して補正位相情報を演算する補正位相演算部、前記補正位相情報を出力する補正位相出力部を有するベースバンド復調器と、入力された送信データに応じた位相情報を含むと共に、その位相情報を前記補正位相情報により変更したベースバンド信号を前記変調器に出力するベースバンド変調器を設けたことを特徴とする移動通信端末装置。
【発明の詳細な説明】
技術分野
この発明は、電源として電池を用いる移動通信端末装置に関するものである。
背景技術
最近のセルラ電話などの移動通信端末装置における電池は、内部回路の低電圧動作に伴う電池電圧の低下が進んでいる。また、電池容量、重量の有利性からリチウムイオン電池の使用が一般化している。第１６図は、従来の移動通信端末装置の送信部の構成を示すブロック図、第１７図は入力された信号と変調周波数の関係を説明する説明図、第１８図はベースバンド変調器から出力されたベースバンド信号の出力位相を説明する説明図、第１９図は搬送波に含まれる位相誤差を説明する説明図、第２０図は直交変調器から出力される送信信号の出力位相を説明する説明図、第２１図はＧＳＭ方式のディジタル携帯電話の送信電力制御レベルと送信出力の関係を示す図である。
第１６図において、８はマイク、９は制御部、１０はベースバンド変調器、１１は変調位相生成部、１２は位相加算器、１３は位相変換器、１４はＤ／Ａ変換器である。ベースバンド変調器１０は変調位相生成部１１、位相加算器１２、位相変換器１３、Ｄ／Ａ変換器１４により構成されている。１５はベースバンド信号に応じて搬送波を変調して送信信号を出力する直交変調器、１６は電池電圧の供給を受けて搬送波を生成する送信局部発振器、１７は各回路に電圧を供給する電池、１８は電池１７から出力された電池電圧を一定電圧に調整して送信局部発振器１６に出力する電圧レギュレータ、１９は送信信号を所定の送信出力まで増幅する送信電力増幅器、２０は送信電力増幅器１９のＯＮ／ＯＦＦを制御する送信ＯＮ／ＯＦＦ制御部、２１は送信電力増幅器１９で増幅された送信信号を送信するアンテナである。
第１６図に示す移動通信端末装置を駆動する電力の供給は２つの系統でなされる。ひとつは電池１７より直接、送信電力増幅器１９に電力を供給する系統であり、もうひとつは電圧レギュレータ１８を介して、ほぼ一定に調整した電圧を送信局部発振器１６に供給する系統である。送信電力増幅器１９のように特に消費電力の大きい回路を効率的に動作させるためには電池１７と直接接続して電力を供給する必要があり、その他、消費電力は大きくないが送信局部発振器１６のように安定した電力供給が必要な回路には電圧レギュレータ１８を介して電力を供給するように構成されている。
送信局部発振器１６は搬送波として用いられる所定の周波数の高周波を生成するものであり、送信局部発振器１６で生成された搬送波は直交変調器１５にて、ベースバンド信号に応じて搬送波の位相、周波数が変調される。従って、搬送波を生成する送信局部発振器１６に安定した電圧を供給することが通信品質を保障する上で特に重要である。
次に、動作について説明する。マイク８から入力されたアナログ音声信号は制御部９内でデジタル音声信号（１／０信号）へ変換される。その後、音声符号化処理されたデジタル音声信号はＴＤＭＡ（Ｔｉｍｅ  Ｄｉｖｉｓｉｏｎ  Ｍｕｌｔｉｐｌｅ  Ａｃｃｅｓｓ）送信フォーマットに並べ替えられてベースバンド変調器１０の変調位相生成部１１へ出力される。ガウシアンフィルター（Ｇａｕｓｓｉａｎ  Ｆｉｌｔｅｒ）を通過した後のデジタル音声信号（１／０信号）の周波数は第１７図のようになる。この周波数は単位時間当たりの位相の変化量（微少位相）と等価であり、その微少位相は第１７図の斜線部で表される。
変調位相生成部１１は入力される送信データに対応した微少位相を生成し、位相加算器１２に出力する。変調位相生成部１１より出力された微少位相は積分（位相加算器１２で加算）されることにより第１８図に示す位相情報となる。位相加算器１２より出力された位相情報は位相変換器１３で同相成分Ｉと直交成分ＱのＩ、Ｑデジタル変調信号に変換されてＤ／Ａ変換器１４に出力される。Ｄ／Ａ変換器１４は位相変換器１３から出力されたＩ、Ｑデジタル変調信号をＩ、Ｑアナログ変調信号へ変換した後ベースバンド信号として直交変調器１５に出力する。
送信局部発振器１６は、電圧レギュレータ１８より出力された電池電圧の供給を受けて生成した搬送波を直交変調器１５に出力する。直交変調器１５はＩ、Ｑアナログ変調信号に応じて搬送波を変調する。具体的には、互いに９０度位相のずれた搬送波（送信局部発振器１６で生成される局部発振信号）それぞれに対し、Ｉ、Ｑアナログ変調信号を乗算したのち合成して送信信号を生成して送信電力増幅器１９へ出力する。
ＴＤＭＡ方式の移動通信端末装置では、割り当てられた時間のみ（タイムスロット）での送信となるので、送信電力増幅器１９はタイムスロット送信時にＯＮになり、それ以外のときにはＯＦＦに制御される。このようなＯＮ／ＯＦＦ制御は送信ＯＮ／ＯＦＦ制御部２０によってなされる。送信電力増幅器１９で所定の送信出力まで増幅された送信信号はアンテナ２１より送信電波として出力される。送信電力増幅器１９の送信出力は第２１図に示すＧＳＭ方式のディジタル携帯電話に用いられる送信電力制御レベルに応じて制御される。
ところで、移動通信端末装置に電力を供給する電池１７の電力供給能力は限られているので、大きな電力需要が発生すると瞬間的（数１０μ秒程度）に回路に供給する電池電圧が落ち込む。具体的にはタイムスロット送信開始時に送信ＯＮ／ＯＦＦ制御部２０が送信電力増幅器１９をＯＮにすると、送信信号の増幅という電力需要が発生し、電池１７の出力電圧が瞬間的に降下する。
送信電力増幅器１９が動作を開始したことに伴い、電池１７の出力する電池電圧が降下すると、電池電圧をほぼ一定の強さの電圧に調整する電圧レギュレータ１８が出力するレギュレータ出力電圧も瞬間的に降下する。レギュレータ出力電圧が降下すると、電圧レギュレータ１８より出力電圧の供給を受ける送信局部発振器１６の発振周波数が乱れ、生成する搬送波に第１９図に示す位相誤差が生じる。このような位相誤差を含む搬送波が直交変調器１５に出力されてベースバンド信号に応じて変調されると、第２０図に示すように、送信電力増幅器１９にて増幅されてアンテナ２１から送信される送信信号にも位相誤差が含まれることになり通信品質が劣化する。
また、電池１７として、内部インピーダンスの大きなリチウムイオン電池などを採用している場合や、電池１７が消耗し、発生できる電池電圧自体が低下している場合、送信電力増幅器１９の動作開始により生じる電圧降下の下げ幅はより大きくなる。つまり、電池１７の電池残量が少なくなると、搬送波に含まれる位相誤差も大きくなり、変調精度の劣化も大きくなる。従って、電池残量がある一定値以下になると、通信品質を考慮して電池１７を交換する必要があり、電池１７の有効利用の観点から問題があった。
この発明は、以上説明したような問題点を解決するためになされたもので、送信電力増幅器のような消費電力の大きな回路の動作に伴い発生する電池電圧の降下による変調精度の劣化を防止することを目的とする。
発明の開示
この発明にかかる移動通信端末装置は、電池電圧の供給を受けると共に、その電池電圧の変動による位相誤差を含む搬送波を生成する局部発振器と、前記局部発振器に供給される電池電圧を検出する電圧検出器と、前記搬送波の位相誤差に対応した補正位相情報を記憶した補正位相記憶部と、前記電圧検出器が検出した電池電圧に応じて前記補正位相情報を選択的に出力する補正位相出力部と、入力された送信データに応じた位相情報を含むと共に、その位相情報を前記補正位相情報により変更したベースバンド信号を出力するベースバンド変調器と、位相情報が変更されたベースバンド信号に応じて前記搬送波を変調する変調器とを設けたものである。
また、この発明にかかる移動通信端末装置は、局部発振器に供給される電池電圧をほぼ一定の電圧に調整する電圧レギュレータの出力電圧を、変調器の出力した送信信号を増幅する増幅器の動作開始に伴って検出する電圧検出器を設けたものである。
また、この発明にかかる移動通信端末装置は、電池電圧と、電池の種類を識別するとともに電池種別情報を生成する電池種類識別部より出力された電池種別情報に応じて補正位相情報を選択的に出力する補正位相出力部を設けたものである。
また、この発明にかかる移動通信端末装置は、電池電圧と、変調器の出力した送信信号を増幅する増幅器の送信出力に応じて補正位相情報を選択的に出力する補正位相出力部を設けたものである。
また、この発明にかかる移動通信端末装置は、電池電圧と、端末の温度を検出する温度検出器より出力された温度情報に応じて補正位相情報を選択的に出力する補正位相出力部を設けたものである。
また、この発明にかかる移動通信端末装置は、変調器の出力した送信信号を増幅する増幅器の動作開始に伴い、補正位相情報をベースバンド変調器に出力する補正位相出力部を設けたものである。
また、この発明にかかる移動通信端末装置は、電池電圧の供給を受けると共に、その電池電圧の変動による位相誤差を含む搬送波を生成する局部発振器と、前記搬送波を変調して送信信号を生成する変調器と、前記送信信号を復調した復調信号から位相誤差を測定して補正位相情報を演算する補正位相演算部、前記補正位相情報を出力する補正位相出力部を有するベースバンド復調器と、入力された送信データに応じた位相情報を含むと共に、その位相情報を前記補正位相情報により変更したベースバンド信号を前記変調器に出力するベースバンド変調器を設けたものである。
発明を実施するための最良の形態
実施の形態１．
第１図は、この発明の実施の形態１にかかる移動通信端末装置を示すブロック図である。第１図において、１は電圧レギュレータ１８の出力電圧を検出する電圧検出器、２は電圧降下に伴い搬送波に含まれる位相誤差とは逆の特性をもつ補正位相情報を記憶する補正位相記憶部、３は、電圧検出器１の検出した電圧降下時の電池電圧に応じて補正位相情報を選択的に位相加算器１２へ出力する補正位相出力部である。なお、第１図において第１６図に示すものと同一の符号は同一又は相当部分を示すので説明を省略する。
第２図はこの発明の実施の形態１にかかる移動通信端末装置の補正位相出力部を示すブロック図である。１ａは電圧検出器１に内蔵されるＡ／Ｄ変換器、３ａは補正位相記憶部２より選択された補正位相情報である。
第３図は電圧降下時の電池電圧に対応する補正位相情報が記憶されたテーブルを示す図である。このテーブルは補正位相記憶部２に記憶されている。記憶されている補正位相情報は搬送波に含まれる位相誤差とは逆特性を持つものである。また、この補正位相情報は電圧降下が生じる時間分だけ記憶されている。
本発明は、電圧降下により搬送波に生じた位相誤差とは逆特性の補正位相情報を用いてベースバンド信号の位相情報を変更するものである。このベースバンド信号を直交変調器に出力することにより、搬送波に含まれた位相誤差がベースバンド信号に含まれた補正位相情報によってキャンセルされる。
搬送波に生じる位相誤差は送信局部発振器１６に供給される電池電圧の降下によるものである。従って、搬送波に生じる位相誤差と逆特性の補正位相情報を選択するためには、電圧降下時の電池電圧を正確に検出する必要がある。なぜなら、電圧降下時の電池電圧を検出することで搬送波に含まれる位相誤差の大きさを推測し、その位相誤差とは逆特性の補正位相情報を選択する必要があるからである。そこで、本発明にかかる移動通信端末装置は、電圧検出器１を設けて電圧降下時の電池電圧を正確に検出するとともに、この電池電圧に応じて補正位相情報を選択することとした。
第１図、第２図を参照しながら実施の形態１にかかる移動通信端末装置について説明する。電圧検出器１は送信ＯＮ／ＯＦＦ制御部２０と接続されて、送信ＯＮ／ＯＦＦ制御部２０が送信電力増幅器１９をＯＮにする送信ＯＮ信号が入力されるように構成されている。この送信ＯＮ信号を受けて電圧検出器１は電池電圧を検出し、内蔵のＡ／Ｄ変換器１ａによりアナログ電圧情報をデジタル電圧情報に変換する。電圧検出器１は送信電力増幅器１９の動作開始にともない電圧を検出するので電圧降下時の最低電圧を正確に求めることができる。
補正位相出力部３は電圧検出器１と同様、送信ＯＮ／ＯＦＦ制御部２０と接続され、送信ＯＮ／ＯＦＦ制御部２０から送信ＯＮ信号が入力されるように構成されている。この補正位相出力部３は、電圧検出器１が検出した電池電圧に応じて補正位相記憶部２のテーブルから補正位相情報を選択する。補正位相出力部３は送信ＯＮ信号を受け、ベースバンド部動作クロックに同期して補正位相情報Ｐ１、Ｐ２、、Ｐｍを１データずつ位相加算器１２に出力する。
位相加算器１２は、第４図に示す補正位相情報をベースバンド信号に加算することにより、ベースバンド信号に第１９図に示す位相誤差とは逆特性の補正位相情報を含ませる処理を行うものである。この位相加算器１２は例えばレジスタで構成されており、上記のクロックに同期して動作するので、クロック毎にベースバンド信号の位相情報を変更することができる。
第４図に示す補正位相情報を用いて位相情報が変更されたベースバンド信号は第５図に示すように補正位相情報が含まれたものとなる。このベースバンド信号は位相変換器１３、Ｄ／Ａ変換器１４を通過して直交変調器１５に出力される。直交変調器１５において、第１９図に示す位相誤差を含んだ搬送波と、第４図に示す補正位相情報を含んだベースバンド信号（第５図）が乗算されて変調されると、搬送波の位相誤差がベースバンド信号の補正位相情報によりキャンセルされ、第６図に示すように搬送波の位相誤差が除去された送信信号が送信電力増幅器１９に出力される。従って、変調精度の劣化を防止することができ、通信品質が向上する。
なお、本発明の実施の形態１にかかる移動通信端末装置は、電圧レギュレータ１８の出力電圧を用いて補正位相情報を選択するが、送信電力増幅器１９に供給される電圧を用いて補正位相情報を選択するようにしてもかまわない。
また、補正位相記憶部のテーブルには搬送波に含まれる位相誤差と同じ大きさの位相情報を記憶しておき、この位相情報に搬送波の位相誤差とは逆の特性を与える処理を位相加算器で行っても、位相誤差とは逆特性の補正位相情報をベースバンド信号に含ませることができる。要するに、ベースバンド変調器から直交変調器に出力されるベースバンド信号に、搬送波の位相誤差とは逆特性の補正位相情報が含まれていればよい。
また、第３図に示す電池電圧と補正位相情報を記憶したテーブルは、実測結果をもとに作成してもかまわない。例えば、電池の代わりに、出力電圧を設定可能な擬似電源装置を使用し、アンテナ２１から出力される送信信号の位相誤差を外部の計測器にて計測することにより、電池電圧と補正位相情報のテーブルを作成してもよい。
以上説明したように、本発明の実施の形態１にかかる移動通信端末装置は、電圧降下時の電池電圧に応じて位相誤差とは逆特性の補正位相情報を選択するとともに、この補正位相情報を位相加算器１２に出力するものである。この補正位相情報によりベースバンド信号の位相情報が変更され、直交変調器１５で搬送波の位相誤差はベースバンド信号に含まれる補正位相情報でキャンセルされる。従って変調精度が改善されて通信品質が向上するという効果を奏する。
また、本発明の実施の形態１にかかる移動通信端末装置は、電圧降下時の電圧に応じて、搬送波に含まれる位相誤差をキャンセルできる補正位相情報を選択するので、電池残量が乏しくなっても安定した変調精度と通信品質が保障される。従って、電池の利用時間を延長することができるという効果を奏する。
さらに、本発明は電圧降下により生じた搬送波の位相誤差をキャンセルするケースについて説明したが、瞬間的な電圧上昇により生じた搬送波の位相誤差をキャンセルすることも可能である。すなわち、電圧上昇時に生じる位相誤差とは逆特性の補正位相情報を補正位相記憶部２にあらかじめ記憶させておき、電圧検出器１が検出した電圧上昇時の電池電圧を用いて補正位相出力部３が選択した補正位相情報をベースバンド信号に含ませることにより、直交変調器１５において搬送波の位相誤差がキャンセルされ、変調精度の劣化を防止することができる。このように、本発明は電圧降下、電圧上昇を問わず瞬間的な電圧変動による変調精度の劣化防止にも有効である。
実施の形態２．
第７図はこの発明の実施の形態２にかかる移動通信端末装置の補正位相出力部を示すブロック図である。４は電池の種類を識別して電池種別情報を出力する電池種類識別部である。なお、第７図において第１図に示すものと同一の符号は同一又は相当部分を示すので説明は省略する。第８図は電圧降下時の電池電圧及び電池種別に対応する補正位相情報が記憶されたテーブルを示す図である。このテーブルは補正位相記憶部２に記憶されている。第９図はニッカド電池の内部回路を示すブロック図である。第１０図はリチウムイオン電池の内部回路を示すブロック図である。
実施の形態１にかかる移動通信端末装置は、電圧降下時の電池電圧を用いて補正位相情報を選択していた。しかし、ニッカド電池あるいはリチウムイオン電池のように電池の種類によって内部インピーダンス等電池特性が異なると、送信電力増幅器１９がＯＮになったときの電圧降下の幅が異なることがある。例えば、リチウムイオン電池はニッカド電池に比べて出力抵抗値が大きいので、送信電力増幅器１９がＯＮになったときに生じる電圧降下の幅がニッカド電池よりも大きくなる。従って、適切な補正位相情報を選択するためには電源として使用される電池の種類も考慮する必要がある。そこで、本発明の実施の形態２にかかる移動通信端末装置は、電圧降下時の電池電圧及び電池１７の種類に応じて適切な補正位相情報を選択するものである。
次に第７図を参照しながら実施の形態２にかかる移動通信端末装置について説明する。電池種類識別部４が出力する電池種別情報は、例えば、電池１７が第９図に示すニッカド電池の場合には０で表現され、第１０図に示すリチウムイオン電池の場合には１で表現される。補正位相出力部３は電圧検出器１、電池種類識別部４、送信ＯＮ／ＯＦＦ制御部２０と接続され、電圧降下時の電池電圧、電池種別情報、送信ＯＮ信号が入力されるように構成されている。ここで、電池の種類は３つ以上でもよく、各々の電池種別に対応した補正位相情報を記憶したテーブルを持っていればよい。
この補正位相出力部３は送信電力増幅器１９の動作開始にともない、電池電圧と電池種別情報を用いて補正位相記憶部２のテーブルから補正位相情報を選択する。選択された補正位相情報はベースバンド部動作クロックに同期して位相加算器１２に出力される。
なお、第８図に示す電池電圧と電池種別に対応する補正位相情報のテーブルは実測結果をもとに作成してもかまわない。例えば、電池の代わりに、出力電圧と出力抵抗値を設定可能な擬似電源装置を使用し、アンテナ２１からの送信信号の位相誤差を外部の計測器にて計測し、その結果から電池電圧と電池種別情報と、その時の補正位相情報を演算して、第８図に示すテーブルを作成及び修正してもよい。
以上説明したように、本発明の実施の形態２にかかる移動通信端末装置は、電圧降下時の電池電圧と、電池種類識別部が識別した電池種別情報に応じて補正位相情報を選択するようにした。従って、電源として使用する電池の種類に関わらず最も適切な補正位相情報を選択することができる。
実施の形態３．
第１１図はこの発明の実施の形態３にかかる移動通信端末装置の補正位相出力部を示すブロック図である。９は送信電力増幅器１９の送信電力制御レベルを補正位相出力部３に出力する制御部である。なお、第１１図において第１図に示すものと同一の符号は同一又は相当部分を示すので説明は省略する。第１２図は電圧降下時の電池電圧と送信電力制御レベルに対応する補正位相情報が記憶されたテーブルを示す図である。このテーブルは補正位相記憶部２に記憶されている。
実施の形態１にかかる移動通信端末装置は、電圧降下時の電池電圧を用いて補正位相情報を選択していた。しかし、電池電圧の降下は、送信電力増幅器１９のような消費電力の大きな回路による電力需要が直接のきっかけとなって生じるものである。従って、適切な補正位相情報を選択するためには送信電力制御レベルも考慮する必要がある。そこで、本発明の実施の形態３にかかる移動通信端末装置は、電圧降下時の電池電圧、及び送信電力制御レベルとを用いて最も適切な補正位相情報を選択するものである。
次に第１１図を参照しながら、実施の形態３にかかる移動通信端末装置について説明する。補正位相出力部３は、電圧検出器１、制御部９及び送信ＯＮ／ＯＦＦ制御部２０と接続され、電圧降下時の電池電圧、送信電力制御レベル、送信ＯＮ信号が入力されるように構成されている。この補正位相出力部３は送信電力増幅器１９の動作開始にともない、電池電圧と送信電力制御レベルに応じて補正位相記憶部２のテーブルから補正位相情報を選択する。選択された補正位相情報はベースバンド部動作クロックに同期して位相加算器１２に出力される。
以上説明したように、本発明の実施の形態３にかかる移動通信端末装置は、電圧検出器が検出した電圧降下時の電池電圧と、制御部が出力した送信電力制御レベルを用いて補正位相情報を選択するようにしたので、送信電力増幅器の出力に関わらず最も適切な補正位相情報を選択することができる。
実施の形態４．
第１３図はこの発明の実施の形態４にかかる移動通信端末装置の補正位相出力部を示すブロック図である。５は端末の温度を検出して、温度情報を補正位相出力部３に出力する温度検出器である。なお、第１３図において第１図に示すものと同一の符号は同一又は相当部分を示すので説明は省略する。第１４図は電圧降下時の電池電圧と温度情報に対応する補正位相情報が記憶されたテーブルを示す図である。このテーブルは補正位相記憶部２に記憶されている。
実施の形態１にかかる移動通信端末装置は、電圧降下時の電池電圧を用いて補正位相情報を選択していた。しかし、電圧降下時に送信局部発振器１６に供給される電池電圧が同じでも、端末の温度によって位相誤差が変化することも考えられる。そこで、本発明の実施の形態４にかかる移動通信端末装置は、電圧降下時の電池電圧及び温度情報を用いて最も適切な補正位相情報を選択するものである。
次に第１３図を参照しながら、実施の形態４にかかる移動通信端末装置について説明する。温度検出器５は電圧レギュレータ出力Ｖｃｃをサーミスタ５ａと抵抗５ｂで分圧し、さらにＡ／Ｄ変換器５ｃでＡ／Ｄ変換してデジタル温度情報（温度情報）を生成する。温度検出器５はこの温度情報を補正位相出力部３へ出力する。補正位相出力部３は、電圧検出器１、温度検出器５及び送信ＯＮ／ＯＦＦ制御部２０と接続され、電圧降下時の電池電圧、温度情報、送信ＯＮ信号が入力されるように構成されている。
この補正位相出力部３は送信電力増幅器１９の動作開始にともない、電池電圧と温度情報に応じて補正位相記憶部２のテーブルから補正位相情報を選択する。選択された補正位相情報はベースバンド部動作クロックに同期して位相加算器１２に出力される。
以上説明したように、本発明の実施の形態４にかかる移動通信端末装置は、電圧検出器が検出した電圧降下時の電池電圧と、温度検出器が検出した温度情報を用いて補正位相情報を選択するようにしたので、温度特性を持つ部品が使用されていても、端末の温度に関わらず最適な補正位相情報を選択することができる。
実施の形態５．
第１５図はこの発明の実施の形態５にかかる移動通信端末装置のベースバンド復調器を示すブロック図であり、第１図のベースバンド復調器６の詳細な構成が示されている。第１５図において、６はベースバンド復調器、７は補正位相出力部である。ベースバンド復調器６は、Ａ／Ｄ変換器６ａ、送信信号を復調した復調信号から位相誤差を測定して補正位相情報を演算する補正位相演算部を含む復調器６ｂ、補正位相情報を出力する補正位相出力部７から構成されている。また、第１図において２２はアンテナスイッチ、２３は直交復調器、２４は受信局部発振器、２５はスピーカである。
本発明にかかる移動通信端末装置はタイムスロットごとに送信するＴＤＭＡ方式を採用しているので送信と受信を同時に行うことがない。従って、アンテナから送信される送信信号をベースバンド復調器に還流させて復調し、この復調結果から位相誤差を測定することも可能である。そこで、実施の形態５にかかる移動通信端末装置は、復調信号より測定された位相誤差をキャンセルする補正位相情報を演算し、演算された補正位相情報を位相加算器に出力するものである。
次に第１５図と第１図を参照しながら実施の形態５にかかる移動通信端末装置について説明する。第１図に示す送信電力増幅器１９にて増幅された送信信号がアンテナスイッチ２２を介して直交復調器２３へ入力される。この直交復調器２３には受信局部発振器２４より受信搬送波が供給されていて、入力された送信信号を復調する。この直交復調器２３から出力されたアナログＩ、Ｑ信号はベースバンド復調器６に出力されて、Ａ／Ｄ変換器６ａにてデジタルＩ、Ｑ信号へ変換される。Ａ／Ｄ変換器６ａより出力されたデジタルＩ、Ｑ信号は復調器６ｂで１／０の受信データとなり、その１／０の受信データから理想位相変化が算出され、受信Ｉ、Ｑ信号と比較することにより位相誤差が測定される。
このような位相誤差測定と補正位相情報の演算は、ベースバンド復調器６ｂ内のデジタル信号処理器（ＤＳＰ、Ｄｉｇｉｔａｌ  Ｓｉｇｎａｌ  Ｐｒｏｃｅｓｓｏｒ）などにより可能である。演算された補正位相情報Ｐ１、Ｐ２、、Ｐｍは補正位相出力部７より位相加算器１２に出力される。補正位相出力部７は送信ＯＮ／ＯＦＦ制御部２０からの送信開始信号をトリガーとしてベースバンド部動作クロック（ＣＬＯＣＫ）に同期して、１データずつ補正位相情報Ｐ１、Ｐ２、、Ｐｍを位相加算器１２へ出力するので、ほぼリアルタイムでベースバンド信号の位相情報を変更することができる。
【図面の簡単な説明】
第１図はこの発明の実施の形態１にかかる移動通信端末装置を示すブロック図である。第２図はこの発明の実施の形態１にかかる移動通信端末装置の補正位相出力部を示すブロック図である。第３図は電圧降下時の電池電圧に対応する補正位相情報が記憶されたテーブルを示す図である。第４図は補正位相を説明する説明図、第５図はベースバンド信号の出力位相を説明する説明図、第６図は位相補正後の送信信号の出力位相を説明する説明図である。
第７図はこの発明の実施の形態２にかかる移動通信端末装置の補正位相出力部を示すブロック図である。第８図は電圧降下時の電池電圧、電池種別に対応する補正位相情報が記憶されたテーブルを示す図である。第９図はニッカド電池の内部回路を示すブロック図である。第１０図はリチウムイオン電池の内部回路を示すブロック図である。
第１１図はこの発明の実施の形態３にかかる移動通信端末装置の補正位相出力部を示すブロック図である。第１２図は電圧降下時の電池電圧、送信電力増幅器の送信電力制御レベルに対応する補正位相情報が記憶されたテーブルを示す図である。
第１３図はこの発明の実施の形態４にかかる移動通信端末装置の補正位相出力部を示すブロック図である。第１４図は電圧降下時の電池電圧、端末の温度に対応する補正位相情報が記憶されたテーブルを示す図である。
第１５図はこの発明の実施の形態５にかかる移動通信端末装置のベースバンド復調器を示すブロック図である。
第１６図は従来の移動通信端末装置の構成を示すブロック図である。第１７図は入力された信号と変調周波数の関係を説明する説明図である。第１８図はベースバンド変調器から出力されたベースバンド信号の出力位相を説明する説明図である。第１９図は搬送波に含まれる位相誤差を説明する説明図である。第２０図は直交変調器から出力される送信信号の出力位相を説明する説明図である。第２１図はＧＳＭ方式のディジタル携帯電話の送信電力制御レベルと送信出力の関係を示す図である。
【図１】
0003822057.tif 000002
【図２】
0003822057.tif 000003
【図３】
0003822057.tif 000004
【図４】
0003822057.tif 000005
【図５】
0003822057.tif 000006
【図６】
0003822057.tif 000007
【図７】
0003822057.tif 000008
【図８】
0003822057.tif 000009
【図９】
0003822057.tif 000010
【図１０】
0003822057.tif 000011
【図１１】
0003822057.tif 000012
【図１２】
0003822057.tif 000013
【図１３】
0003822057.tif 000014
【図１４】
0003822057.tif 000015
【図１５】
0003822057.tif 000016
【図１６】
0003822057.tif 000017
【図１７】
0003822057.tif 000018
【図１８】
0003822057.tif 000019
【図１９】
0003822057.tif 000020
【図２０】
0003822057.tif 000021
【図２１】
0003822057.tif 000022